(57)【要約】      （修正有）【課題】作業者に合った座面の高さと傾斜角度に調整でき、疲労を軽減するワーキングチェアーを提供する。【解決手段】上段、中段及び下段のステーで補強されている２本の前脚と、前脚より高さが低く、下段がステーで補強されている２本の後脚とが、前脚の上段ステーに挿着した連結具によって開閉自在に挿着し、且つ前脚及び後脚の下段中央部にそれぞれ突設しているボスと枢着された連結ステーにより、開閉角度が固定されている。前脚の上段ステーと中段ステ−には、回転ボルトの軸受けが挿着され、回転ボルトの下部端末には、止めリングが挿着されている。座面取付金具の上部には座面があり、座面取付金具の後部には、回転ボルトと螺着する長ナットが溶着される。【選択図】図１
0003161509.tif 000002
【実用新案登録請求の範囲】
【請求項１】
座面の取り付けフレ−ムに長ナットを溶着し、当該ナットと螺着した回転ボルトと、当該回転ボルトに溶着した回転ハンドルを回転することにより、座面の両サイドが脚と摺動し座面が、上下に微動調節可能にしたことを特徴とした中腰作業に適するワ−キングチェア−
【請求項２】
座面は、回転軸ピンを芯にして、傾斜状態になっている。座面取り付け金具の先端にナットを具備し、ハンドルを溶着したねじを介して、当該ハンドルを回転することによって座面を押し上げる。これにより、数十度から水平まで座面の傾斜を調整できるようにしたワ−キングチェア−
【請求項３】
使用しないときは、本体座面共折りたたんで、コンパクトに収納できる構造としたワ−キングチェア−。
【考案の詳細な説明】
【技術分野】
【０００１】  この考案は、鍛圧機械の操作など中腰で作業するときに危険を回避し疲労しない立ち椅子（ワ−キングチェア−）に関するものである。
【背景技術】
【０００２】  鍛圧機械、工作機械、溶接機械など操作するとき、通常の椅子に座っての作業は、時に危険な場合がある。それは、非常時に自分の体を迅速に移動、避難できないためである。そのため、中腰状態で長時間作業を強いられ疲労を伴う。また、ペタルを踏む場合には、一時的に片足常態になり危険が増す。そのため、中高の椅子が市販されているが、作業者に合った高さのものはない。また、非常時に迅速に避難することも出来ない。【０００３】  本考案は、それぞれの作業者の腰高に微細に調整できる機能を備えると共に、座面を疲労を感じない角度に傾斜させることが出来る。そのようなワ−キングチェア−は、ない。
【考案の開示】
【考案が解決しようとする課題】
【０００４】  本考案は、螺子を利用し座面の高さを微細に調整出来ると共に、当該座面を傾斜自在にして作業者に最適な座面の傾斜角度を調整出来る機能を付加し、作業者の疲労を低減させるワ−キングチェア−を提供することを目的にしている。
【課題を解決するための手段】
【考案の効果】
【０００５】  上記の目的を解決するために、作業者に合った座面の高さが重要な要素となる。座面の高さを調整するため、例えば摺動する柱に数ｃｍおきにピンを差し込んで調整する方法がある。しかし当該高さが作業者の背丈によって微妙に違和感を感じ、それが疲労に繋がることが判明した。従って、座面の高さを自由に調整することが出来ることが、重要である。そのため、長尺の回転ボルトとナットを利用し、座面を床面から５５０ｍｍ〜８８０ｍｍまで、無段階に上下することが出来る構造とした。【０００６】  また、座面の角度が水平の場合はすわり心地に違和感があり、疲労に繋がる。座面の裏面から螺子を使って２４度傾斜から水平レベルまで調整出来る機能で長時間使用しても疲労を感じないワ−キングチェア−を完成することが出来た。【０００７】    ワ−キングチェア−を使用する作業が終わった後、本体、座面共折りたたんで収納出来る構造とした。【０００８】    本考案は、以上のように、人間工学的にみて使用する作業者にとって違和感や疲労感のない優れたワ−キングチェア−の考案である。
【考案を実施するための最良の形態】
【０００９】    図１は、本考案に係るワ−キングチェア−の一実施例説明図、図２は座面傾斜調整用の一実施例説明図を示している。図３はワ−キングチェア−の収納状態の一実施例説明図を示している。【００１０】    図１は、ワ−キングチェア−本体前脚９とワ−キングチェア−本体後脚１０がワ−キングチェア−本体前脚９の上部で開閉自由に挿着されていて、下部のステ−１１により開閉角度が固定されている。【００１１】    回転ボルト３の上部に回転ハンドル１を溶着し、ワ−キングチェア−本体前脚９上部のステ−に取り付けた軸受けを通す。座面取付金具４に長ナット２を溶着し部材を当該回転ボルト３に回転ハンドル１を回しながらねじ込む。このとき、前記の座面取付金具４に長ナット２を溶着し部材は、ワ−キングチェア−本体前脚９の脚フレ−ムに回転を妨げられ、当該部材が上下に移動し、座面６の位置が床面から一例として５５０ｍｍから８８０ｍｍまで、無断階に調整できる。【００１２】  回転ボルト３の先端は、ワ−キングチェア−本体前脚９の下部のステ−に取り付けた軸受けに挿入し、回転ハンドル１は、自由に回動できる。【００１３】    座面６は、回転軸ピン５を芯として水平レベルより２４度傾斜の状態になっている。【００１４】    図２は、座面傾斜調整用の一実施例説明図を示している。座面取付金具４の先端の座面傾斜調整用ナット８が溶着されている。ボルトを溶着した座面傾斜調整用ハンドル７を回動させると座面６を裏面から押し上げる。これにより座面６の前下がりの２４度から０度の水平レベルまで無断段階に調整可能となる。
これにより、身体の重心を少し傾けての動作や、少し座る、少し寄りかかる姿勢が、作業中に簡単に出来る。【００１５】  ステ−１１を持ち上げることにより、図３に図示するようにワ−キングチェア−本体前脚９，ワ−キングチェア−本体後脚１０および座面６を折りたたんでコンパクトに収納できる。
【産業上の利用可能性】
【００１６】  以上説明した如く、本考案によれば、必要な範囲内で無段回階の高さに座面を調整できる。体重の半分以上はワ−キングチェア−に支えられ足が疲れないと共に傾斜した背もたれに寄りかかりながら、迅速に次の動作が出来る。作業用だけでなく長時間中腰で手術をしなければならない外科医、同じく中腰で料理を作らなくてはならない料理人や展示会場の瀬高の机の前で受付しなければならない人など用途が広い。
【図面の簡単な説明】
【００１７】
【図１】      本考案に係わるワ−キングチェア−の一実施例説明図である。
【図２】      図１の座面傾斜調整用の一実施例説明図である。
【図３】      ワ−キングチェア−の収納状態の一実施例説明図である。
【符号の説明】
【００１８】  １  回転ハンドル
２  長ナット
３  回転ボルト
４  座面取付金具
５  回転軸ピン
６  座面
７  座面傾斜調整用ハンドル
８  座面傾斜調整用ナット
９  ワ−キングチェア−本体前脚
１０  ワ−キングチェア−本体後脚
１１  ステ−
【図１】
0003161509.tif 000003
【図２】
0003161509.tif 000004
【図３】
0003161509.tif 000005
【手続補正書】
【提出日】平成22年5月14日(2010.5.14)
【手続補正１】
【補正対象書類名】実用新案登録請求の範囲
【補正対象項目名】全文
【補正方法】変更
【補正の内容】
【実用新案登録請求の範囲】
【請求項１】
上段、中段及び下段のステ−で補強されている２本の脚をもつワ−キングチェア−本体前脚と当該ワ−キングチェア−本体前脚より高さが低く、下段がステ−で補強されている２本の脚をもつワ−キングチェア−本体後脚とがワ−キングチェア−本体前脚の上段ステ−に挿着した連結具によって開閉自在に挿着し、且つワ−キングチェア−本体前脚及びワ−キングチェア−本体後脚の下段中央部にそれぞれ突設しているボスと枢着された連結ステ−により、開閉角度が固定されている脚構造にあって、ワ−キングチェア−本体前脚の上段ステ−と当該ワ−キングチェア−本体前脚の中段ステ−には、回転ボルトの軸受けが挿着されていて、回転ボルトが自在に回転できる構造であると共に、当該回転ボルトの下部端末には、回転ボルトが抜けないように、止めリングが挿着されていると共に、座面取付金具の上部には座面があり、当該座面取付金具の後部には、回転ボルトと螺着する長ナットが溶着され、あらかじめ回転ボルトは当該長ナットに螺着されているため、回転ボルトの上部に溶着された回転ハンドルを回動することにより、長ナットが溶着されている座面取付金具は上下すると共に、当該座面取付金具の両サイドは、ワ−キングチェア−本体前脚のフレ−ムに回転を妨げられ座面取付金具は、ワ−キングチェア−本体前脚の内側を摺動して、座面が上下移動することを特徴とする中腰作業に適したワ−キングチェア−。
【請求項２】
上段、中段及び下段のステ−で補強されている２本の脚をもつワ−キングチェア−本体前脚と当該ワ−キングチェア−本体前脚より高さが低く、下段がステ−で補強されている２本の脚をもつワ−キングチェア−本体後脚とがワ−キングチェア−本体前脚の上段ステ−に挿着した連結具によって開閉自在に挿着し、且つワ−キングチェア−本体前脚及びワ−キングチェア−本体後脚の下段中央部にそれぞれ突設しているボスと枢着された連結ステ−により、開閉角度が固定されている脚構造にあって、ワ−キングチェア−本体前脚の上段ステ−と当該ワ−キングチェア−本体前脚の中段ステ−には、回転ボルトの軸受けが挿着されていて、回転ボルトが自在に回転できる構造であると共に、当該回転ボルトの下部端末には、回転ボルトが抜けないように、止めリングが挿着されていて、座面取付金具の上部には座面があり、当該座面取付金具の後部には、回転ボルトと螺着する長ナットが溶着され、あらかじめ回転ボルトは当該長ナットに螺着されているため、回転ボルトの上部に溶着された回転ハンドルを回動することにより、長ナットが装着されている座面取付金具は上下すると共に、当該座面取付金具の両サイドは、ワ−キングチェア−本体前脚のフレ−ムに回転を妨げられ座面取付金具は、ワ−キングチェア−本体前脚の内側を摺動して、座面が上下移動する中腰作業に適したワ−キングチェア−にあって、座面取付金具に回転軸ピンを挿着し座面取付金具に溶着されている長ナットの取り付け面と対する面には、ナットが溶着されていて、ハンドルを溶着したネジをを介して当該ハンドルを回動することにより、座面の裏面を押し上げ、数十度から水平まで座面の傾斜を調整できることを特徴とする請求項１記載のワ−キングチェア−。
【請求項３】
上段、中段及び下段のステ−で補強されている２本の脚をもつワ−キングチェア−本体前脚と当該ワ−キングチェア−本体前脚より高さが低く、下段がステ−で補強されている２本の脚をもつワ−キングチェア−本体後脚とがワ−キングチェア−本体前脚の上段ステ−に挿着した連結具によって開閉自在に挿着し、且つワ−キングチェア−本体前脚及びワ−キングチェア−本体後脚の下段中央部にそれぞれ突設しているボスと枢着された連結ステ−により、開閉角度が固定されている脚構造にあって、ワ−キングチェア−本体前脚の上段ステ−と当該ワ−キングチェア−本体前脚の中段ステ−には、回転ボルトの軸受けが挿着されていて、回転ボルトが自在に回転できる構造であると共に、当該回転ボルトの下部端末には、回転ボルトが抜けないように、止めリングが挿着されていて、座面取付金具の上部には座面があり、当該座面取付金具の後部には、回転ボルトと螺着する長ナットが溶着され、あらかじめ回転ボルトは当該長ナットに螺着されているため、回転ボルトの上部に溶着された回転ハンドルを回動することにより、長ナットが溶着されている座面取付金具は上下すると共に、当該座面取付金具の両サイドは、ワ−キングチェア−本体前脚のフレ−ムに回転を妨げられ座面取付金具は、ワ−キングチェア−本体前脚の内側を摺動して、座面が上下移動する中腰作業に適したワ−キングチェア−にあって、前述の連結ステ−を折り曲げできる構造とし、本体及び座面を折りたたんで、コンパクトに収納できることを特徴とする請求項１記載のワ−キングチェア−。
【手続補正３】
【補正対象書類名】明細書
【補正対象項目名】００１６
【補正方法】変更
【補正の内容】
【００１６】以上説明した如く、本考案によれば、必要な範囲内で無段階の高さに座面を調整できる。体重の半分以上はワ−キングチェア−に支えられ足が疲れないと共に傾斜した背もたれに寄りかかりながら、迅速に次の動作が出来る。作業用だけでなく長時間中腰で手術をしなければならない外科医、同じく中腰で料理を作らなくてはならない料理人や展示会場の背高の机の前で受付しなければならない人など用途が広い。